Podtech/llm-jp-corpus-v4-ja_patent huggingface dataset:
(57)【要約】【課題】  軽量で、かつ、保温性や嵩だか性を向上させた寝具を提供する。【解決手段】  本考案は、キルティング加工を施し、２０マスに区画された方形袋状の上部充填体２と、キルティング加工を施し、１２マスに区画された方形袋状の下部充填体３の周囲全体が閉塞され、前記上部充填体２と前記下部充填体３との間に中空部４が形成されたことを特徴とする寝具１とした。【選択図】図１
0003214914.tif 000002
【実用新案登録請求の範囲】
【請求項１】
キルティング加工を施し、２０マスに区画された方形袋状の上部充填体と、キルティング加工を施し、１２マスに区画された方形袋状の下部充填体の周囲全体が閉塞され、前記上部充填体と前記下部充填体との間に中空部が形成されたことを特徴とする寝具。
【考案の詳細な説明】
【技術分野】
【０００１】  本考案は、内部に中空部を形成した寝具に関するものである。
【背景技術】
【０００２】  従来より、中空部を設けていない２層式の寝具が知られている。【０００３】  例えば、特開平１１−２０６５２０号では、羽毛及び羽根を充填物とした第一充填層と羽毛及び羽根以外を充填物とした第二充填層を中地の両側に配置した、二層構造羽毛掛け布団が開示されている。
【先行技術文献】
【特許文献】
【特許文献１】特開平１１−２０６５２０号
【考案の概要】
【考案が解決しようとする課題】
【０００４】  しかしながら、キルティング加工を施し、２０マスに区画された方形袋状の上部充填体と、キルティング加工を施し、１２マスに区画された方形袋状の下部充填体の周囲全体が閉塞され、前記上部充填体と前記下部充填体との間に中空部が形成されたことを特徴とする寝具は存在していない。【０００５】  また、従来の２層式の寝具は、寝具内に中空部が形成されていないことから、十分な保温性を保つことができなかった。さらに、嵩だか性を向上させると寝具全体が厚くなり、寝具が重くなり取扱いや収納が不便であった。【０００６】  本考案はこのような問題を鑑みてなされたものであり、軽量で、かつ、保温性や嵩だか性を向上させた寝具を提供することを目的とする。
【課題を解決するための手段】
【０００７】  以上の課題を解決するために、キルティング加工を施し、２０マスに区画された方形袋状の上部充填体と、キルティング加工を施し、１２マスに区画された方形袋状の下部充填体の周囲全体が閉塞され、前記上部充填体と前記下部充填体との間に中空部が形成されたことを特徴とする寝具とした。
【考案の効果】
【０００８】  本考案の寝具は、キルティング加工を施し、２０マスに区画された方形袋状の上部充填体と、キルティング加工を施し、１２マスに区画された方形袋状の下部充填体の周囲全体が閉塞され、前記上部充填体と前記下部充填体との間に中空部が形成されたことにより、断熱効果が高くなり保温性が向上する。また、寝具全体がふっくらとした感じになり、嵩だか性もたもたれる。
【図面の簡単な説明】
【０００９】
【図１】寝具の断面斜視図である。
【考案を実施するための形態】
【００１０】  以下、本考案の一実施の形態を説明する。
【実施例１】  図１は、本実施例に係る寝具１の上面側から見た断面斜視図である。羽毛を充填物５としてキルティング加工を施し、２０マスに区画された方形袋状の上部充填体２と、キルティング加工を施し、１２マスに区画された方形袋状の下部充填体３の周囲全体が閉塞され、前記上部充填２と前記下部充填体３との間に中空部４を形成して寝具とした。【００１１】  なお、本考案は前記実施例に限定されるものではなく、寝具の充填物５は、ポリエステル綿やアクリル綿など適宜変更可能である。
【符号の説明】
【００１３】  １    寝具
２    上部充填体
３    下部充填体
４    中空部
５    充填物
６    上部区画部
７    下部区画部
【図１】
0003214914.tif 000003
(57)【要約】      （修正有）【課題】長期保存の造花及びプリザーブドフラワーを簡易に誰でもが同じように挿せることができる花立器具を提供する。【解決手段】保持台１と、この保持台１に立設された保持棒３と、造花又はプリザーブドフラワー８を固着するための粘着部を有する枠体とを備え、保持棒３には、枠体を着脱自在に保持するクリップ２が設けられている。枠体は、環状の紐体４を有しており、その周方向に沿って、粘着部が配列されている。【選択図】図３
0003214913.tif 000002
【実用新案登録請求の範囲】
【請求項１】
保持台と、この保持台に立設された保持棒と、造花又はプリザーブドフラワーを固着するための粘着部を有する枠体とを備え、前記保持棒には、前記枠体を着脱自在に保持する保持部材が設けられている花立器具。
【請求項２】
前記枠体は、環状体を有しており、その周方向に沿って、前記粘着部が配列されている請求項１に記載の花立器具。
【請求項３】
前記環状体は環状の紐体である請求項２に記載の花立器具。
【請求項４】
前記保持部材は、弾性力により前記枠体を解除可能に挟持するクリップを有する請求項１から３のいずれかに記載の花立器具。
【考案の詳細な説明】
【技術分野】
【０００１】本考案は、造花及びプリザーブドフラワーなど簡易に飾ることができる花立器具である。
【背景技術】
【０００２】近年、仏壇のお供えの生花は日常交換の管理の負担があり、そのため長期に保持できる造花及びプリザーブドフラワー等が多くなっている。
しかし、従来の花立の壺上では造花及びプリザーブドフラワー挿す事は個人により違いがあり挿しにくい面が多い。本考案は花立器具を使用する事によりその問題点を解決したものである。
【考案の概要】
【考案が解決しようとする課題】
【０００３】従来、仏壇のお供えの生花は保持期間が短く定期的に生花店で購入し、挿し替えをしているが、高齢者また、忙しい人にとって挿し替えに大きな負担がある場合が多い。
本考案の花立器具はその問題点を解消し、長期保存が可能な造花及びプリザーブドフラワーで誰でもが簡易に一定の飾りができるものである。
プリザーブドフラワーは生花を特殊な加工により約４ヶ年の保持期間がお供えの花の交換の負担を大きく軽減できるものである。
【課題を解決するための手段】
【０００４】保持台と、この保持台に立設された保持棒の上部の挟持自在のクリップに粘着部を有する紐又は板の環状の枠体に造花又はプリザーブドフラワーを貼りつけたものを挟持セットする事ができる花立器具である。
【図面の簡単な説明】
【０００５】
【図１】本考案の保持具をあらわす全体図である。
【図２】装飾具を示す正面図である。（ａ）環状の紐図  （ｂ）環状の板図  （ｃ）は（ａ）又は（ｂ）に８を貼付け図
【図３】保持具と装飾具をセットした正面図である。
【図４】（ａ）は図３の実例写真  （ｂ）は図３を仏壇に設置した実例写真
【考案を実施するための形態】
図１は造花又はプリザーブドフラワーを保持するための器具であり保持台１の上部に保持棒３が立設されており、その保持棒３の上部に図２の枠体１１，１３を弾性力により解除可能に挟持するため、クリップ２を有している。
例えば、保持台１はクリスタル又は木材を材料とし  保持棒３は鉄、又真鍮製でメッキ加工されている。
図２（ａ）は環状の紐体４に粘着部６と紐飾り５を有する枠体１１を例示している。
図２（ｂ）は環状の板体７に粘着部６と紐飾り５を有する枠体１３を例示している。
図２（ｃ）は図２（ａ）（ｂ）の枠体１１又は１３の粘着部６に造花又はプリザーブドフラワー８を張り付けた図である。
図３は図１に示したクリップ２に図２（ｃ）の枠体１１又は１３を挟持した図である。
図４（ａ）は図３の実例写真である。
図４（ｂ）は図３の仏壇に設置した実例写真である。
【符号の説明】１保持台  ２脱着自在挟持クリップ  ３保持棒  ４環状の紐体
５紐飾り  ６粘着部  ７環状の板体  ８造花又はプリザーブドフラワー
１１、１３枠体
【図１】
0003214913.tif 000003
【図２】
0003214913.tif 000004
【図３】
0003214913.tif 000005
【図４】
0003214913.tif 000006
(57)【要約】【課題】  水中でも信頼性の高い拡大鏡を提供する。【解決手段】  凸レンズ１と透明板３を連結する枠体４の周壁に一方の空気層２ａと連通する通気孔７ａと、他方の空気層２ｂと連通する通気孔７ｂが形成され、通気孔７ａ，７ｂの外側開口部は通気性とはつ液性を有するフィルター８で覆われている。【選択図】図１
0003214908.tif 000002
【実用新案登録請求の範囲】
【請求項１】
凸レンズと、その凸レンズの両側にそれぞれ空気層を介して配置される透明板と、前記凸レンズと透明板を収容する枠体を備え、
前記透明板あるいは枠体に前記空気層と連通する通気孔を形成し、その通気孔の開口が通気性とはつ液性を有するフィルターで覆われていることを特徴とする拡大鏡。
【考案の詳細な説明】
【技術分野】
【０００１】  本考案は虫メガネなどの拡大鏡に係り、特に水、海水あるいは特殊液体などの液中において有効に拡大機能が発揮できる拡大鏡に関するものである。【０００２】  凸レンズを備えた虫メガネは、通常野外や海辺などにおいて虫、植物、石などの観察に使用され、拡大機能を有するために物品の微小な形状や表面状態などが観察できて便利である。【０００３】  ところが、この虫メガネを水の中に入れて水中にある物を観察しようとすると、凸レンズの両面に水が直接接して、凸レンズと水が光学的には一体の連続した透明体となるから、レンズ機能（拡大機能）が発揮できず、水中での拡大観察ができないという欠点がある。【０００４】  本考案者はこの欠点を解消するため、先に図３に示すような構造の拡大鏡を提案した。【０００５】  図３は、その拡大鏡の断面図である。
図面に示すように、凸レンズ５１の両側面には、それぞれ狭小の空気層５２を介して凸レンズ５１とほぼ同じ大きさの透明板５３，５３が配置されている。【０００６】  凸レンズ５１と透明板５３の外周には、環状の枠体５４が嵌合されている。透明板５３と枠体５４の接合部はシール剤層５５でシールされ、空気層５２に水が入らないように防水加工されている。枠体５４には、取手５６が取り付けられている。【０００７】  この拡大鏡は水などの液体中で使用するときも、凸レンズ５１と透明板５３の間に空気層５２が介在されているから、従来のように凸レンズ５１と水が直接接することがない。そのため、液体中においても凸レンズ５１による拡大機能が発揮できるという特徴を有している。【０００８】
【考案の概要】
【考案が解決しようとする課題】
【０００９】  ところがこの拡大鏡を大気中の温度の高い所に放置しておくと、空気層５２中の空気が膨張して、それによりシール剤層５５が透明板５３や枠体５４から剥がれ、拡大鏡を水中などで使用するときにシール剤層５５の所から空気層５２の中に水が入って、拡大鏡の機能が喪失したり、また、透明板５３が拡大鏡本体から外れてしまうなどの欠点があった。【００１０】  本考案の目的は、このような技術的課題を解決して、信頼性の高い拡大鏡を提供することにある。
【課題を解決するための手段】
【００１１】  前記目的を達成するため、本考案は、凸レンズと、その凸レンズの両側にそれぞれ空気層を介して配置される透明板と、前記凸レンズと透明板を収容する枠体を備え、
前記透明板あるいは枠体に前記空気層と連通する通気孔を形成し、その通気孔の開口が通気性とはつ液性を有するフィルターで覆われていることを特徴とするものである。
【考案の効果】
【００１２】  本考案は前述のような構成になっており、拡大鏡を温度の高い所に放置しておいて空気層の空気が膨張しても、その一部は通気性フィルターを通して外部へ放出されるから、シール剤層の剥がれなどは起こらない。
また、通気性フィルターははつ液性を有しているため、拡大鏡を水中などで使用する際は、液体が通気性フィルターを通して空気層中に入り込むことが阻止され、液中にいても拡大鏡の機能を確実に発揮することができる。
【図面の簡単な説明】
【００１３】
【図１】  本考案の第１実施例に係る拡大鏡の断面図である。
【図２】  本考案の第２実施例に係る拡大鏡の断面図である。
【図３】  本出願人が先に提案した拡大鏡の断面図である。
【考案を実施するための形態】
【００１４】  以下、本考案の実施例を図面とともに説明する。図１は、本考案の第１実施例に係る拡大鏡の断面図である。
【００１５】  同図に示すように、ガラスまたはアクリル樹脂やポリカーボネート樹脂などの透明合成樹脂からなる凸レンズ１の両側面には、それぞれ狭小の空気層２を介して凸レンズ１とほぼ同じ大きさのアクリル樹脂やポリカーボネート樹脂などの透明合成樹脂からなる透明板３，３が配置されている。
【００１６】  凸レンズ１と透明板３，３は、硬質の合成樹脂や金属からなる環状の枠体４内に嵌合されている。枠体４と透明板３の接合部は、例えばアクリル系接着剤やエポキシ系接着剤など耐水性に優れたシール剤層５で液密にシールされている。
【００１７】  枠体４には取手６が取り付けられ、その取手６近くの枠体４の周壁には一方の空気層２ａと連通する通気孔７ａと、他方の空気層２ｂと連通する通気孔７ｂが形成されている。通気孔７ａ，７ｂの大気と接する外側開口部は、通気性とはつ液性を有する通気性フィルター８，８で覆われている。
【００１８】  通気性とはつ液性を有する通気性フィルター８としては、例えばポリテトラフルオロエチレンなどのフッ素系合成樹脂の短繊維からなる薄い不織布などが好適である。
【００１９】  図２は、本考案の第２実施例に係る拡大鏡の断面図である。この実施例では、次のような構成が付加されている。
図２に示すように、２枚の透明板３の凸レンズ１と対向する側の略中央にストッパー突部９がそれぞれ設けられている。そして通常の状態（透明板３に内向きの圧力がかかっていない状態）では、ストッパー突部９と凸レンズ１のレンズ面の間には微小の隙間１０が設けられている。
【００２０】  透明板３は合成樹脂などで構成されているため、外力により内側（凸レンズ１側）に押圧変形され易く、その変形により透明板３と枠体４の間のシール剤層５に亀裂などが発生し、シール機能が減退する懸念がある。
【００２１】  そのため本実施例では透明板３の凸レンズ１と対向する側にストッパー突部９を設け、透明板３が押圧変形される際にはストッパー突部９を凸レンズ１に当接して、透明板３の過度の変形を防止し、シール機能の減退を防いでいる。
【００２２】  本実施例ではストッパー突部９の凸レンズ１と対向する側の断面形状を円弧状にして凸レンズ１に当接してもレンズ面に傷が付き難くしている。
【００２３】  前記実施例では通気孔７とフィルター８を枠体４に設けたが、両者を透明板３の周辺部側に設けることも可能である。
【符号の説明】
【００２４】  １  凸レンズ、２ａ，２ｂ  空気層、３  透明板、４  枠体、５  シール剤層、７ａ，７ｂ  通気孔、８  通気性フィルター。
【図１】
0003214908.tif 000003
【図２】
0003214908.tif 000004
【図３】
0003214908.tif 000005
(57)【要約】      （修正有）【課題】ＣＤケースを閉じた状態で歌詞カードに記載された歌詞を見ることができ、目的にあった音楽か否かを簡単に判断できる歌詞カード付きＣＤケースを提供する。【解決手段】ＣＤケース蓋１とＣＤ３を固定するＣＤケースベース２とから成るＣＤケースと、ＣＤケースに収納する音楽を録音したＣＤの歌詞を記載した歌詞カード４と、を有し、歌詞を記載した歌詞カードの面が外側になるようにＣＤケースベースの外側表面に貼り付けられた構成とした。【選択図】図１
0003214906.tif 000002
【実用新案登録請求の範囲】
【請求項１】
ＣＤケース蓋とＣＤを固定するＣＤケースベースとから成るＣＤケースと、前記ＣＤケースに収納する音楽を録音したＣＤの歌詞を記載した歌詞カードと、を有し、前記歌詞を記載した前記歌詞カードの面が外側になるように前記ＣＤケースベースの外側表面に貼り付けられ、前記ＣＤケースを閉じた状態で前記歌詞カードに記載された歌詞を見ることができることを特徴とする歌詞カード付きＣＤケース。
【請求項２】
前記ＣＤケースベースの外面の周辺部に、製品情報を記載したバーコード用紙カードを設置するスペース、又は、製品情報を記載したバーコード用紙を貼り付けるスペース、を有することを特徴とする請求項１に記載した歌詞カード付きＣＤケース。
【考案の詳細な説明】
【技術分野】
【０００１】    音楽を録音したＣＤを収納したＣＤケースに関する。
【背景技術】
【０００２】    音楽ＣＤの製品は、ＣＤケースに音楽ＣＤと歌詞カードなどを入れ、薄い透明のビニールで全体を包み、包装されている。
【考案の概要】
【考案が解決しようとする課題】
【０００３】  以上に述べた従来の音楽ＣＤケースでは、音楽ＣＤを購入する場合、製品である音楽ＣＤを手に取った時に、薄い透明のビニールで全体を包み、包装されているので、ＣＤの中に入っている歌詞カードを見ることができない。そのため、その音楽が自分の好みの音楽か否かがわからないので、間違って購入した場合は費用が無駄になるという課題があった。また、本来、自分の好みの音楽であってもそれがわからず、購入機会を失うという課題もあった。
本考案は、このような従来の構成が有していた問題を解決しようとするものであり、音楽ＣＤケースを開けなくても、そのＣＤに収録されている音楽の歌詞を見ることを実現することを目的とする。
【課題を解決するための手段】
【０００４】  そして、本考案は上記目的を達成するために、ＣＤケース蓋とＣＤを固定するＣＤケースベースとから成るＣＤケースと、前記ＣＤケースに収納する音楽を録音したＣＤの歌詞を記載した歌詞カードと、を有し、前記歌詞を記載した前記歌詞カードの面が外側になるように前記ＣＤケースベースの外側表面に貼り付けられ、ＣＤケースを閉じた状態で歌詞カードに記載された歌詞を見ることができるように構成したものである。
【考案の効果】
【０００５】  ＣＤケース蓋表面のタイトル曲の歌詞がＣＤケース蓋を開かなくてもＣＤケースベースの外側に歌詞カードが貼り付けてあるためにこんな時、こんな場合にある、こんな場所で聴きたい、歌ってみたいケース、又、人に提供したい時等にふさわしい選択しやすい。
【図面の簡単な説明】
【０００６】
【図１】本考案の実施形態を示す歌詞カード付きＣＤケースの外観図
【図２】同歌詞カード付きＣＤケースのＣＤケースベースの外観図
【考案を実施するための形態】
【０００７】  以下、本考案の実施の形態を図１に基づいて説明する。
【０００８】  図１において、本考案の歌詞カード付きＣＤケースは、透明なＣＤケース蓋１とＣＤ３を固定する円筒形の突起部（図示せず）を内部に備えたＣＤケースベース２とを備えている。また、ＣＤケース蓋１の内部には、歌手名・曲名を表した表紙５を有し、ＣＤケースベース２の外部には歌詞カード４が貼り付けられている。歌詞カード４にはＣＤに収録された音楽の歌詞が図２に示すように前記カードの左側の広い範囲に表されており、本考案の歌詞付きＣＤケースの外から上述歌詞を見ることができるようになっており、また、製品の出荷時には、ＣＤケース蓋１とＣＤケースベース２とを閉じた状態で、全体を透明なビニール（図示せず）で覆われている。
【０００９】  以上のような構成であれば、音楽ＣＤを購入にするために、販売店に行って、製品を手に取った場合に、歌詞カード付きＣＤケースの全体を覆っている透明なビニールを取り除きＣＤケースを開く必要が無く、簡単に歌詞カードに記載している歌詞を見ることができるので、目的にあった音楽（歌）か否かを判断できる。そのため、この音楽をこんな時に、こんな場所に、又、こんな場所で聴きたい、歌ってみたいケース、そして人に提供したい時等にふさわしい選択がしやすい。
【００１０】    図２にＣＤケースベース２の外観図を示す。ＣＤケースベース２の外面には、歌詞カード６が貼り付けられている。さらに、ＣＤケースベース２の外面の右側の周辺部付近にバーコード用紙７が貼り付けられている。このバーコード用紙７には製品に関する情報が記載されている。このバーコード用紙７の代わりに、バーコード用紙７と同様に、製品に関する情報が記載されたバーコード用紙カード７が設置される場合もある。
このようにすれば、ＣＤケースベース２の外面を見れば、音楽の歌詞も製品情報も簡単に確認することができる。
【符号の説明】
【００１１】１  ＣＤケース蓋
２  ＣＤケースベース
３  ＣＤ
４  歌詞カード
５  表紙
６  歌詞カード（表面）
７  バーコード用紙（バーコード用紙カード）
【図１】
0003214906.tif 000003
【図２】
0003214906.tif 000004
(57)【要約】      （修正有）【課題】トイレットペーパー芯のような狭い円筒の内周面に、容易に印字できるようにした遊星運動型スタンプを提供する。【解決手段】円筒Ａ１と成形したスタンプ２を両面テープなどの接着剤で貼り、その円筒Ａ１を円柱状の棒３に通し、棒の一定箇所で回転するよう円筒Ａ１の上部及び下部に円筒Ｂ４・円筒Ｃ５を付けて抑えてある。【選択図】図１
0003214910.tif 000002
【実用新案登録請求の範囲】
【請求項１】
円筒Ａに成形されたスタンプを貼り、そのスタンプを貼った円筒Ａを円柱状の棒に通し、その円筒Ａが棒の一定箇所で回転するよう円筒Ａの上下部に別の円筒Ｂ・円筒Ｃを付けて抑えてあることを特徴とする遊星運動型スタンプ。
【考案の詳細な説明】
【技術分野】
【０００１】  本考案は、円筒の内周面に対し、遊星運動により印字するスタンプに関するものである。
【背景技術】
【０００２】  従来のスタンプは、平面への印字を主な目的として成形されている。
【先行技術文献】
【特許文献】
【０００３】
【特許文献１】特開２００９−１１９８７６
【特許文献２】特開２００７−２８３５３５
【考案の概要】
【考案が解決しようとする課題】
【０００４】  例えば、トイレットペーパー芯のような狭い円筒の内周面に対して、広告などのメッセージをスタンプしたくても、従来のスタンプ形状では印字することが困難であった。
本考案は、以上のような難点に対して、容易にスタンプできるようになされたものである。
【課題を解決するための手段】
【０００５】  円筒Ａ（１）に成形されたスタンプ（２）を貼り、その円筒Ａ（１）を円柱状の棒（３）に通し、円筒Ａ（１）が棒（３）の一定箇所で回転するよう円筒Ａ（１）の上下部に円筒Ｂ（４）・円筒Ｃ（５）を付けて抑える。
本考案は、以上のような構成による遊星運動型スタンプである。
【考案の効果】
【０００６】  例えば、トイレットペーパー芯のような狭い円筒の内周面に対し、スタンプするのに極めて有効である。
【図面の簡単な説明】
【０００７】
【図１】本考案の斜視図である。
【図２】本考案の断面図である。
【考案を実施するための形態】
【０００８】  円筒の曲面に沿って成形されたスタンプを接着剤で貼る。そのスタンプを貼り付けた円筒を円柱状の棒に通す。スタンプを貼り付けた円筒が円柱状の棒の一定箇所で回転するように、スタンプを貼り付けた円筒の上下部分に別の円筒を付けて抑える。
本考案は、以上のような構造である。
これを使用するときは、円柱状の棒を持ち、スタンプ印面を円筒の内周面に入れ、スタンプ印面を押しつけながら遊星運動させて印字すればよい。
【符号の説明】
【０００９】  １  円筒Ａ
２  成形されたスタンプ
３  円柱状の棒
４  円筒Ｂ
５  円筒Ｃ
【図１】
0003214910.tif 000003
【図２】
0003214910.tif 000004
(57)【要約】      （修正有）【課題】毛布の肩口（襟）部分からの冷気の侵入を防ぐ毛布を提供する。【解決手段】毛布（以下，「本体毛布」という。）１の上部の裏側に，本体毛布１の略２分の１の長さの毛布１枚（以下，「付加毛布」という。）４を付加して，付加毛布の一部（付加毛布の長さの略３分の１部分）の周囲を，本体毛布に縫合する。毛布を被るときに，付加毛布の縫合しない部分を折り返して，肩口（襟）部分まで引き上げ，首と肩を包み込んで，肩口（襟）からの冷気の侵入を防ぐ。【選択図】図３
0003214907.tif 000002
【実用新案登録請求の範囲】
【請求項１】
毛布（以下，「本体毛布」という。）の上部の裏側に，本体毛布の略２分の１の長さの毛布１枚（以下，「付加毛布」という。）を付加して，付加毛布の一部分（付加毛布の長さの略３分の１の部分）の周囲を，本体毛布に縫合し，毛布を被るときに，付加毛布の縫合しない部分を折り返して，肩口（襟）部分まで引き上げ，首と肩を包み込んで，肩口（襟）からの冷気の侵入を防ぐ毛布。
【考案の詳細な説明】
【技術分野】
【０００１】  本考案は，毛布の肩口（襟）部分からの冷気の侵入を防ぐため，肩口（襟）部分を含む毛布の上半分の部分を毛布２枚にした毛布。
【背景技術】
【０００２】  従来から，毛布の肩口（襟）部分を分厚くしたり，Ｕ字形またはＶ字形にカットして身体にフィットさせ，肩口（襟）部分からの冷気の侵入を防ぐ毛布はあったが，寝返り等で身体が動いた場合に，毛布がずれて隙間が生じ，さらには拡大して，冷気が侵入するという難点があった。
【考案の概要】
【考案が解決しようとする課題】
【０００３】  従来の毛布は被ったときに，肩口（襟）部分に隙間が生じやすく，さら寝返りを打つと隙間が拡大していた。そのため隙間から毛布内に冷気が侵入して，安眠を妨げていた。
【課題を解決するための手段】
【０００４】  図１のとおり，毛布（以下「本体毛布」という。）の上部の裏側に，毛布１枚を付加（以下「付加毛布」という。）して，その一部分を縫合する。付加毛布は，本体毛布よりやや薄手の生地で，幅は本体毛布と同一，長さは本体毛布の略２分の１とする。
付加毛布は，図２のとおり，その長さの略３分の１の部分（５〜６）の周囲を本体毛布に縫合する。縫合しない残りの略３分の２の部分（６〜７）は，６で折り返し，被るときに図３のとおり，肩口（襟）部分まで引き上げて，首と肩を包み込む。
【考案の効果】
【０００５】  被るときに，図３のとおり，付加毛布を６で折り返して，肩口（襟）部分まで引き上げて，首と肩を包み込むことにより，肩口（襟）からの冷気の侵入を防いで，毛布内の保温を確保し，安眠を助長することができる。【０００６】  なお，付加毛布は，仮眠時に，顔に掛けてアイマスクの代わりにすることができ，厳寒時には，頭から被って頭・肩を包み込んで，寒気を遮断することもできる。
追って，本考案毛布は一般家庭の外，病院・老人ホーム・保育施設・ホテル等の寝具としても活用できる。
【図面の簡単な説明】
【０００７】
【図１】  毛布全体の側面図である。
【図２】  付加毛布を折り返した状態を，拡大した側面図である。
【図３】  毛布の使用状況を示す側面図である。
【符号の説明】
【０００８】  １  本体毛布
２  本体毛布の上端
３  本体毛布の下端
４  付加毛布
５  付加毛布の上端
６  付加毛布の折り返し部分
７  付加毛布の下端
【図１】
0003214907.tif 000003
【図２】
0003214907.tif 000004
【図３】
0003214907.tif 000005
(57)【要約】      （修正有）【課題】２２０℃以上の温度でも劣化せず長寿命の密閉を確保し炉体外部への熱風吹き出し及び炉内気圧を安定させ周辺機器の損傷を防ぎ生産品の不良をなくする耐熱密閉部材を提供する。【解決手段】熱炉内５に挿入されたモーター回転軸４と熱炉の外壁３との間の隙間を密閉する密閉部材であって、該密閉部材がモーター回転軸の外周に挿通されたオイレス金属１０と、オイレス金属１０を外壁へ押し付ける押えバネ９と、を備え、貫通金属面１３またはブロックの貫通金属面１３に平坦なオイレス金属１０に耐熱グリスを塗布し擦りあわせ状態にし、押えバネ９の力で２枚の金属を擦りあわせ、圧力をかけ密閉をおこなう。【選択図】図３
0003214983.tif 000002
【実用新案登録請求の範囲】
【請求項１】
熱炉において内部温度が２００℃以上の高温時、外部動力の回転軸と軸穴の密閉部分の劣化による熱風漏れまたは外気から空気の導入を防ぎ、回転軸と軸穴の密閉機能を長寿命確保するため、平面度の高い金属とオイレス金属をばね等の力で接触させ、又グリス等を用いて隙間無く密閉する方法。
【考案の詳細な説明】
【技術分野】
【０００１】熱炉における内部温風攪拌モーターの炉内と炉外を貫通するモーター軸と軸穴及び炉内で幅可変を行う場合のねじ等の炉内と炉外を貫通する軸と軸穴等の密閉においてオイルシール、樹脂材料等のパッキンを使わずオイレス金属と金属と耐熱油脂を使用した密閉方法。
【背景技術】
【０００２】熱炉における内部温風攪拌モーターの炉内と炉外を貫通するモーター軸と軸穴及び炉内で幅可変を行う場合のねじ等の炉内と炉外を貫通する軸と軸穴等の密閉には、多くオイルシール、樹脂パッキンを使われている。この場合最大耐熱温度は２２０℃である。オイレス金属を使い回転部分に少量の耐熱油脂を定期的に供給するだけで、オイルシール、樹脂パッキンで発生する回転部分の抵抗が無くなる。樹脂パッキン等の場合温度による劣化のため低寿命だが、オイレス金属を使用することで長寿命化が出来る。又交換等も樹脂パッキンに比べ約十倍以上の長寿命化が出来る。
【特許文献】なし
【考案の概要】
【考案が解決しようとする課題】
【０００３】従来の熱炉は内部温風攪拌モーター炉内と炉外を貫通するモーター軸と軸穴及び炉内で幅可変を行う場合のねじとねじ穴等の密閉にはオイルシール、樹脂パッキン等が使われている。そのため２００℃以上の温度では樹脂材料が早く劣化する。貫通部分の密閉を保持するためには早期の樹脂部品の交換が必要になる。交換のため機械の長時間の停止、交換に必要な専門作業が必要になり時間、金銭の大きなロスが発生する。
【課題を解決するための手段】
【０００４】耐熱温度を２００℃以上に対応するため金属部品を使用する。金属平面の滑らかな面とオイレス金属等の滑らかな面をばね等の力で押し付け、貫通部分の密閉を確保できる。又その面の回転抵抗を少なくするため耐熱油脂を使用する。又金属部分を炉体内部の熱い部分に設置することで密閉部分からの炉外への温度漏れを、防ぎ炉外設置部品を高温から保護できる。
【考案の効果】
【０００５】金属平面とオイレス金属等平面をばね等の力で押し付け、その接触面に耐熱油脂を塗布することにより軸と軸穴の密閉性を安定させて長寿命を保持できる。又、金属を使用することにより耐熱を２２０℃以上に安定して動作できる。密閉性及び回転抵抗を削減の油脂給油も定期的に行うことでシステムを長く保持できる。
【図面の簡単な説明】
【０００６】
【図１】一般的な密閉構造の図１
【図２】一般的な密閉構造の図２
【図３】本考案の図１
【図４】本考案の図２
【符号の説明】１・・・攪拌モーター
２・・・止めカラー
３・・・炉体外壁
４・・・攪拌モーター軸
５・・・炉内
６・・・攪拌ファン
７・・・ねじシャフト
８・・・ブロック
９・・・押さえ用バネ
１０・・・オイレス金属
１１・・・樹脂パッキン、オイルシール
１２・・・押さえ板
１３・・・貫通金属面
１４・・・給油口
【考案を実施するための形態】
【０００７】内部温風攪拌モーター炉内と炉外を貫通するモーター軸及び炉内で幅可変を行う場合のねじ等の炉内と炉外を貫通する軸と軸穴の密閉をするために平滑な金属面とオイレス金属を押さえつけるバネの構造を設置する。
【実施例】
【０００８】以下に本考案の実施形態について図面を参照して説明する。【０００９】図１、図２は、一般的なオイルシール、樹脂パッキン等を使った炉内攪拌部及びねじ部の構造図。４のモーター軸の貫通部分及び７のねじシャフトの貫通部分に１１のオイルシール、樹脂パッキンを装着する。その部分に耐熱グリスを塗布し２の止めカラーで密閉を行う。オイルシール、樹脂パッキンを固定するため８のブロック等を使用する。５の炉内からの熱風はオイルシール、樹脂パッキンを炉内温度まで上昇させる。５の炉内温度が２００℃を超える場合劣化が短時間で起こりオイルシール及び樹脂パッキンが破損し、６のファン及び炉内圧力により炉外に炉内の熱風が炉外に噴出する。そのため１のモーター及び外部設置部品等が高温になり破損する。【００１０】図３、図４は、考案する樹脂材料等を使用せず平坦な金属とオイレス金属を使用して炉内攪拌部及びねじ部を密閉する構造図。４のモーター軸貫通部分の軸及び７のねじシャフト貫通部分の軸とその軸穴の密閉のため１３の貫通金属面または８のブロックの１３の貫通金属面に１０の平坦なオイレス金属に耐熱グリスを塗布しすりあわせせる状態にする。９のバネ等の力で２枚の金属を擦りあわし圧力をかけ密閉をおこなう。回転の負荷の調制のため圧力調制を２のカラーにて行う。軸とオイレス金属内径の隙間は０に近い状態にする。３の炉体外壁の使用は平坦でないため１３の平坦面の形成のため８のブロックを使用する。
又３の炉体外壁に設置する。５の炉内熱風を上記考案システムにより遮断する。
又、材料に耐熱金属を使用しているため２００℃以上の熱にも劣化することなく密閉を保持し炉外部品は破損しない。又定期的に１４の給油口または２枚の金属の擦り合わせ面から耐熱油脂を補給することにより長寿命の密閉を保持する。
【図１】
0003214983.tif 000003
【図２】
0003214983.tif 000004
【図３】
0003214983.tif 000005
【図４】
0003214983.tif 000006
【手続補正書】
【提出日】平成29年11月28日(2017.11.28)
【手続補正１】
【補正対象書類名】実用新案登録請求の範囲
【補正対象項目名】全文
【補正方法】変更
【補正の内容】
【実用新案登録請求の範囲】
【請求項１】
熱炉内に挿入された回転軸と前期熱炉の外壁との間の隙間を密閉する密閉部材であって、該密閉部材が前期回転軸の外周に挿通されたオイレス金属と、前期オイレス金属を前期外壁へ押し付ける押えバネと、を備えてなる耐熱密閉部材。
(57)【要約】      （修正有）【課題】冷蔵庫内で横置きし収納されるチューブ入り薬味などの保管具であって、チューブ絞り機能を有するチューブ絞り付き保管具を提供する。【解決手段】プラスチック成型にて形成された本体からなり、冷蔵庫の扉内側に具備されている冷蔵庫内ポケットへのクリップ状の掛け部１と、本体への薬味チューブの蓋部差込み円筒型ポケット２とチューブを挟み込み絞り機能を果たす一端部が切り離されているスリットを設け、チューブ入り薬味を冷蔵庫の扉内側に具備されているポケット２へクリップ状の掛け部１を掛け薬味チューブを縦方向に保管する。【選択図】図１
0003214985.tif 000002
【実用新案登録請求の範囲】
【請求項１】
冷蔵庫内ポケットへの掛け部と、ポケットとスリットを設け、チューブ入り薬味などを冷蔵庫内に縦方向に保管する事が出来る事を特徴とするチューブ絞り付き保管具。
【請求項２】
チューブ絞り部のスリットには下方にリブを設け厚みを増した事を特徴とする請求項１記載のチューブ絞り付き保管具。
【考案の詳細な説明】
【技術分野】
【０００１】本考案は、薬味入りチューブの効果的な保管、使用方法に関するものである。
【背景技術】
【０００２】薬味入りチューブを冷蔵庫内で保管する保管具とチューブ絞り具は、既に別々に存在している。【０００３】しかし前記保管具とチューブ絞りは、薬味入りチューブ使用時には薬味入りチューブを冷蔵庫内から取出し都度チューブ絞り具を取り付ける必要があり、手間と労力が掛かっていた。
【考案の概要】
【考案が解決しようとする課題】
【０００４】本考案の目的は、薬味入りチューブの容量が多い時には本品のポケット部に差込み保管し、薬味入りチューブの容量が減るとスリットに差し込んだ状態で保管する事が出来、また冷蔵庫内から取出しすぐにチューブ絞りとして使用する事を可能にした。
【課題を解決するための手段】
【０００５】上記目的を達成するために、薬味入チューブ保管具にポケット部とスリット部を設けた事を特徴とする。
【考案の効果】
【０００６】本考案にあっては、冷蔵庫内ポケットへの掛け部を設け冷蔵庫内に縦方向に保管する事が出来、少ないスペースで保管する事ができる。【０００７】また薬味入りチューブの容量が減るとスリットに差し込んだ状態で保管する事が出来、冷蔵庫内から取出しすぐにチューブ絞りとして使用する事が出来る。【０００８】またスリットにリブを設ける事により薬味入りチューブと本品の摩擦面が増しより絞り易くなる。
【図面の簡単な説明】
【０００９】
【図１】  本考案に係るチューブ絞り付き保管具の斜視図である。
【図２】  本考案に係るチューブ絞り付き保管具の側面図である。
【図３】  本考案に係るチューブ絞り付き保管具の使用例である。
【考案を実施するための形態】
【００１０】以下、本考案の望ましい実施の形態を図面に基づいて説明する。
【００１１】図１は本考案の斜視図であり、図中符号１はクリップ、図中符号２はポケットを示す。
【００１２】図２は本考案の側面図であり、図中符号３はスリットを図中符号４はリブを示す。
【００１３】図３は本考案の一実施例を示す。
【００１４】以上、本考案に係るチューブ絞り付き保管具の実施例について説明したが、本考案は上記実施例に限定されるものではなく適宜変形実施可能である。
【符号の説明】
【００１５】１  クリップ
２  ポケット
３  スリット
４  リブ
５  薬味入りチューブ
【図１】
0003214985.tif 000003
【図２】
0003214985.tif 000004
【図３】
0003214985.tif 000005
【手続補正書】
【提出日】平成29年11月30日(2017.11.30)
【手続補正１】
【補正対象書類名】実用新案登録請求の範囲
【補正対象項目名】請求項１
【補正方法】変更
【補正の内容】
【請求項１】
プラスチック成型にて形成された本体からなり、冷蔵庫の扉内側に具備されている冷蔵庫内ポケットへのクリップ状の掛け部と、本体への薬味チューブの蓋部差込み円筒型ポケットとチューブを挟み込み絞り機能を果たす一端部が切り離されているスリットを設け、チューブ入り薬味を冷蔵庫の扉内側に具備されているポケットへクリップ状の掛け部を掛け薬味チューブを縦方向に保管する薬味チューブの蓋部差込み円筒型ポケットを設けた事を特徴とするチューブ絞り付き保管具。
(57)【要約】      （修正有）【課題】接着剤を使わない接着方法を構築することで、長年問題視されてきた接着剤に起因するトラブルを完全に無くし、複雑な装着方法を容易にするつけまつげを提供する。【解決手段】つけまつげの軸４を、磁性体または磁性体を含む素材で形成し、磁化することにより帯びた磁性や、つけまつげの軸４を直接磁石で形成することによる磁力を使い、まつげ３側に貼り付ける手段として、アイラインを引くためのアイライナーの成分に、鉄粉等の磁性体を混成した素材や、アイラインテープの成分に、同じく鉄粉等の磁性体を混成した素材を使用する。【選択図】図３
0003214988.tif 000002
【実用新案登録請求の範囲】
【請求項１】
つけまつげの軸を、磁性体または磁性体を含む素材で形成し、磁化することで磁性を持つ機能を特徴とするつけまつげと、つけまつげの軸を磁石で形成する構造を特徴とするつけまつげ。
【請求項２】
請求項１に記載の特徴を持つつけまつげを、まつげ側に貼り付ける為の素材として、アイライナーの成分に鉄粉等の磁性体を混成することを特徴とするアイライナーと、アイラインテープの成分に鉄粉等の磁性体を混成することを特徴とするアイラインテープ。
【考案の詳細な説明】
【技術の分野】
【０００１】  本考案は、つけまつげの装着方法を根本的に見直し、従来の複雑な装着工程を簡素化するとともに、つけまつげの付け外しを容易にするつけまつげに関するものである。
【背景技術】
【０００２】  つけまつげを装着する方法としては、つけまつげの軸に接着剤を塗布し、指やピンセトを使い、まつげの生え際に貼り付ける手段が従来の方法である。しかし、つけまつげの軸に接着剤を塗布する為の細かな作業や、接着剤を塗布した部分に指先やピンセットが触れたりすることで、面倒なトラブルを引き起こすことが多い。
【先行技術文献】
【特許文献】
【０００３】
【特許文献１】特開２００６−２９７０３８号広報
【特許文献２】実登３２０１１６９号広報
【特許文献３】特開２０１１−１０６０６６号広報
【考案の概要】
【考案が解決しようとする課題】
【０００４】  従来のつけまつげ装着の為に必要不可欠とされてきた、接着剤を使用しての接着方法を改め、接着剤を使わない接着方法を構築することで、長年問題視されてきた接着剤に起因するトラブルを完全に無くし、複雑な装着方法を容易にするつけまつげを提供する。
【課題を解決するための手段】
【０００５】  つけまつげの軸を、磁性体または磁性体を含む素材で形成し、磁化することにより磁性を帯びる機能及びつけまつげの軸を磁石で形成する構造を特徴とする。【０００６】  上述つけまつげの磁力により、自まつげ側につけまつげを貼り付ける手段として、アイラインを引くためのアイライナーの成分に、鉄粉等の磁性体を混成した素材及びアイラインテープの成分に、鉄粉等の磁性体を混成した素材を特徴とする。
【考案の効果】
【０００７】  上記つけまつげとアイライナーやアイラインテープによる磁力を利用することで、接着剤が不要となり、接着剤による面倒なトラブルが一切無くなるとともに、装着工程が簡素化される。また、つけまつげの付け外しが極めて容易になることで、様々なシチュエーションにおいて、思い思いのつけまつげを選び、簡単に付け替えることができ、さらに、つけまつげの愛用者層の拡張につながる。
【図面の簡単な説明】
【０００８】
【図１】右まぶたを閉じた状態の正面図である。
【図２】つけまつげを真上から見た図である。
【図３】右まつげの生え際につけまつげを装着した正面図である。
【考案を実施するための形態】
【０００９】  以下、本考案の実施の形態を図に基づいて説明する。
【実施例】
【００１０】  図１は、４を１に吸着させるため、まつげの生え際の上部に、磁性体を混成したアイライナーによりアイラインを引いたイメージを示す。また、同所に磁性体を混成したアイラインテープを張り付けたイメージを兼ねている。【００１１】  図２は、４が１に吸着するために、永久磁石の特性を持ったつけまつげを示す。【００１２】  図３は、永久磁石の特性を持った４により、１に装着したつけまつげを示す。
【産業上の利用可能性】
【００１３】  本発明による磁石式つけまつげは、付け外しが容易であることから、服を着替えるような感覚で、その場の雰囲気に合わせたデザインのつけまつげに、瞬時に付け替えることができる為、利便性の高い商品として、幅広い客層かに活用されることが見込まれる。
【符号の説明】
【００１６】  １    まつげ上部生え際のアイラインまたはアイラインテープを施したイメージ
２    自まつげ
３    まゆげ
４    つけまつげの軸
５    つけまつげ
【図１】
0003214988.tif 000003
【図２】
0003214988.tif 000004
【図３】
0003214988.tif 000005
【手続補正書】
【提出日】平成29年12月1日(2017.12.1)
【手続補正１】
【補正対象書類名】実用新案登録請求の範囲
【補正対象項目名】全文
【補正方法】変更
【補正の内容】
【実用新案登録請求の範囲】
【請求項１】
磁性体または磁性体を含む素材で形成し、磁化することで磁性を持つ機能又は磁石で形成する構造を有するつけまつげの軸を備えたことを特徴とするつけまつげ。
【請求項２】
請求項１に記載の特徴を持つつけまつげを、まつげ側に貼り付ける為の素材として、アイライナー又はアイラインテープの成分に鉄粉等の磁性体を混成することを特徴とするアイライナー又はアイラインテープ。
(57)【要約】      （修正有）【課題】安価に必要な法律の条文、用語解説を入手でき、必要な法律や用語解説を労力少なく持ち運べる書籍を提供する。【解決手段】六法、用語集、地図帳など、一部のページのみでも使用することができる書籍を、ページ毎あるいは、複数のページ毎に分割し、共通の位置に穴を開ける。このように分割された書籍を、一つに綴じる。【選択図】図１
0003214292.tif 000002
【実用新案登録請求の範囲】
【請求項１】
法律毎または分野毎に製造し、販売した六法や用語などの単語を解説した複数の文章を集めた書籍。
【請求項２】
上記１の複数の製品が、一つに綴じられるように、これに共通の位置に共通の穴をあけたもの。
【考案の詳細な説明】
【図面の簡単な説明】
【図１】分割された六法または用語集
【図２】綴じられた六法または用語集
【考案の詳細な説明】
【考案が解決しようとする課題】
多数の法律や、分野からなる六法や、用語集などに、その使用者が必要とする法律や、必要とする分野がすべて記載されている場合は少なく、また一部の法律や一分野の用語の最新版のみだけ購入したいのに六法毎、または用語集毎買い換えないとならない。
そうすると、不要な法律の記載のある六法や、不要な分野の記載の用語集を買ったり、持ち運ばなくてはならなくなる。
【解決手段】
「図面」に記載のように、六法なら、法律毎や、社会法などの法律の分野毎に、用語集なら、分野毎に分けて製造、販売する。
これら分けられて製造された六法や、用語集に、バインダーなどに綴じられるように共通の穴を開る。
【作用】
更新された又は、必要な法律だけ記載のある六法や、必要な分野の用語集のみ購入でき、それらを一つに組み合わせて持ち運べる。
【考案の効果】
安価に必要な法律の条文、用語解説を入手でき、必要な法律や用語解説を労力少なく持ち運べる。
【図１】
0003214292.tif 000003
【図２】
0003214292.tif 000004
【手続補正書】
【提出日】平成29年6月8日(2017.6.8)
【手続補正１】
【補正対象書類名】実用新案登録請求の範囲
【補正対象項目名】請求項１
【補正方法】変更
【補正の内容】
【請求項１】
六法、用語集、地図帳など、１ページ毎、あるいは一部の複数にわたるページでも使用することができる書籍を、ページ毎あるいは、複数のページ毎に分割したもの。
【手続補正書】
【提出日】平成29年10月13日(2017.10.13)
【手続補正１】
【補正対象書類名】実用新案登録請求の範囲
【補正対象項目名】全文
【補正方法】変更
【補正の内容】
【実用新案登録請求の範囲】
【請求項１】
六法、用語集、地図帳など、一部のページのみでも使用することができる書籍を、ページ毎あるいは、複数のページ毎に分割し、共通の位置に穴を開けたことを特徴とする書籍。
【請求項２】
「請求項１」に記載のように分割された書籍を、一つに綴じたことを特徴とした書籍。
(57)【要約】      （修正有）【課題】ネシ付き注出口具を使用しないで、注出ができ、注出方向が容易に選択でき、容器の注出口が使用時まで、完全密封容器であることが、確認できる注出口付容器を提供する。【解決手段】注出口付容器において、容器上部半分を液体注入部８とし、第一パネルと第二パネルの中央部を液体の注出口幅３に開けて、両横を下方向に二本の熱接着線４で注出口部を形成すると共に、第一パネルと第二パネルの上部を密封用の接着部５を形成すると共に、密封接着部５下部に開封用ミシン目６を形成し、第一パネルと第二パネルを容器上部半分を熱接着させて、上記接着部を全て設ける。【選択図】図４
0003214293.tif 000002
【実用新案登録請求の範囲】
【請求項１】
注出口付容器において、第一パネルと第二パネルの中央部を液体の注出口幅に開けて、両横を下方向に二本線注出口ガイドに接着させる、注出口ガイド、図１
【請求項２】
注出口ガイドの、第一パネルと第二パネルの上部を横方向に密封用接着部を設け、密封用接着部下部に横方向に、開封用ミシン目を設ける、注出口ガイド、図３
【請求項３】
容器の両横と底部を接着させて。容器上部半分を液体注入部とする、容器上部液体注入部、半分に，注出口ガイドを接着されてある、注出口付容器、図４
【考案の詳細な説明】
【技術分野】
【０００１】  本考案は、液体の注出口付容器に関する。
【背景技術】
【０００２】  液体の注出方法における、注出口付容器の考案である。【０００３】
【考案の概要】
【考案が解決しようとする課題】
【０００４】  容器の、液体注出方法には、ネシ付き注出口具を使用しないで、注出ができ、注出方向が容易に選択できることを考案の課題とする。【０００５】  容器の注出口が使用時まで、完全密封容器であることが、確認できることを考案の課題とする。【０００６】  容器注出口の注出方法に、ストロー、等の具を使用することが出来る、
【課題を解決するための手段】
【０００７】  注出口付容器において、第一パネルと第二パネルの中央部を液体の注出口幅に開けて、両横を下方向に二本線注出ガイドの接着をさせる、注出口ガイド、図１【０００８】  注出口ガイドの、第一パネルと第二パネルの上部を横方向に密封接着部を設け、密封用接着部下部に横方向に、開封用ミシン目を設ける、注出口ガイド、図３【０００９】  容器の両横と底部を接着させて。容器上部半分を液体注入部とする、容器上部液体注入部、半分に，注出口ガイドを接着されてある、注出口付き容器、図４
【考案の効果】
【００１０】  液体の注出方法には、ネシ付き注出口具を使用しないで、注出口ガイドによつて、注出できる方向が容易に選択できる。【００１１】  液体の、注出方法について、容器製造と同時に注出口ガイドを製造する事が出来る。【００１２】  液体の容器が開封時まで、完全密封容器であることが、確認できる。【００１３】  容器の開封がミシン目によつて、容易に開封することができる。【００１４】  開封後、容器内の液体をストロー等によつて、注出できる。
【図面の簡単な説明】
【００１５】
【図１】  第一パネルと第二パネルに二本線注出ガイドの接着部の説明図。
【図２】  上記パネルの二本線注出ガイド接着部の説明図。
【図３】  注出口ガイドの注出口密封接着部と開封用切り取りミシン目の説明図。
【図４】  容器液体注入部と注出口ガイドの接着部の説明図。
【図５】  容器の液体注入後の密封容器の説明図。
【図６】  液体容器のミシン目よりの開口後の説明図。
【図７】  液体容器の注出口ガイドの注出具の説明図。
【考案の実施するための形態】
【００１７】  本考案の実施の形態を図面を参照しながら詳細に説明する。なお、以下の説明にあたって、同一構成要件については、同一符号を付けて、重複した説明を省略する。
【００１８】  注出口付容器において、第一パネル１と第二パネル２の中央部を液体の注出口幅３に開けて、両横を下方向に二本線注出口ガイド４に接着させる、注出口ガイド、図１
【００１９】  注出口ガイドの、第一パネルと第二パネルの上部を横方向に密封用接着部５を設け、密封用接着部下部に横方向に、開封用ミシン目６を設ける、注出口ガイド、図３
【００２０】  容器の両横と底部７を接着させて。容器上部半分を液体注入部８とする、容器上部液体注入部、半分に，注出口ガイドを接着されてある、注出口付き容器、図４
【００２１】  容器上部半分を液体注入部を液体注入後密封接着９を行う。密封注出口付容器、図５
【００２２】  上記密封注出口付容器のミシン目６より、容器の開封を行う。図６
【００２３】  上記容器の開封後、注出口より、ストロー等１０の注出具にて、容器より注入液体を注出する。図７
【符号の説明】  １  第一パネル
２  第二パネル
３  液体注出口部
４  注出口二本線接着注出ガイド部
５  注出口密封接着部
６  注出口開封用ミシン目部
７  容器両横と底部接着部
８  容器の液体注入部
９  容器の液体注入後の容器密封接合部
１０  注出口より注出具
【図１】
0003214293.tif 000003
【図２】
0003214293.tif 000004
【図３】
0003214293.tif 000005
【図４】
0003214293.tif 000006
【図５】
0003214293.tif 000007
【図６】
0003214293.tif 000008
【図７】
0003214293.tif 000009
【手続補正書】
【提出日】平成29年8月18日(2017.8.18)
【手続補正１】
【補正対象書類名】実用新案登録請求の範囲
【補正対象項目名】全文
【補正方法】変更
【補正の内容】
【実用新案登録請求の範囲】
【請求項１】
注出口付容器において、容器上部半分を液体注入部とする、第一パネルと第二パネルの中央部を液体の注出口幅に開けて、両横を下方向に二本の熱接着線で注出口部を設ける、さらに、第一パネルと第二パネルの注出口部上部を密封用の接着部を設ける、さらに、密封接着部下部に開封用ミシン目を設ける、上記パネルを容器上部半分に熱接着させる、注出口付容器。
【手続補正書】
【提出日】平成29年10月13日(2017.10.13)
【手続補正１】
【補正対象書類名】実用新案登録請求の範囲
【補正対象項目名】全文
【補正方法】変更
【補正の内容】
【実用新案登録請求の範囲】
【請求項１】
注出口付容器において、容器上部半分を液体注入部８とする、第一パネル１と第二パネル２の中央部を液体の注出口幅３に開けて、両横を下方向に二本の熱接着線４で注出口部を形成すると共に、第一パネルと第二パネルの上部を密封用の接着部５を形成すると共に、密封接着部５下部に開封用ミシン目６を形成する、第一パネルと第二パネルを容器上部半分に熱接着させた、上記形成部を全て設けた、注出口付容器。